(57)【特許請求の範囲】
【請求項１】
サーバールーム内に設置され、内部に、サーバーを収納する複数の収納ラックを、通路を挟んで対向するように収容するようにした放熱ケージであって、
床面に立設した平面視方形をなすフレームにおける前記通路と向かい合って互いに対向する２側面の少なくともいずれか一方の面を、開閉可能なドアパネルと通気性のパネル群により、かつ他方の面を、通気性のパネル群により、それぞれ閉塞するとともに、前記フレームにおける前記複数の収納ラックの背面側の互いに対向する他方の２側面を、引き違い式の複数の可動パネルにより閉塞することにより、前記フレームの４側面を、ドアパネルと通気性のパネル群及び引き違い式の複数の可動パネルにより閉塞したことを特徴とするサーバールーム内に設置される放熱ケージ。
【請求項２】
複数の収納ラックの背面と複数の可動パネルとの対向面間に、サーバー使用者が通行不能、かつ空気が通過しうるだけの空間を設けてなる請求項１記載のサーバールーム内に設置される放熱ケージ。
【請求項３】
パネル群を、方形枠内に金網を張設して形成された複数の金網パネルよりなるものとした請求項１または２記載のサーバールーム内に設置される放熱ケージ。
【請求項４】
可動パネルを、中央部に金網パネルを嵌め込むことにより、通気性を有するものとした請求項１〜３のいずれかに記載のサーバールーム内に設置される放熱ケージ。
【請求項５】
フレームを、床面に立設された前後左右方向に並ぶ複数の支柱と、この支柱の上端同士を連結する上部横連結材と、同じく下端部同士を連結する下部横連結材とを備えるものとし、前記互いに隣接する支柱と、上下の横連結材とにより囲まれた複数の空間部に、通気性のパネル群を装着してなる請求項１〜４のいずれかに記載のサーバールーム内に設置される放熱ケージ。
【請求項６】
互いに隣接する支柱を、対向面の一方の縁部に上下方向を向く保持片を内向き突設した支柱本体と、この支柱本体における前記保持片と反対側の側面に着脱可能にねじ止め可能な上下方向のパネル保持板とからなるものとし、前記両支柱の対向面間に、通気性のパネル群を、その両側端部が前記保持片と当接するまで嵌合し、この状態で、前記支柱本体の側面にパネル保持板をねじ止めし、パネル群の両側端部を保持することにより、前記通気性のパネル群を、互いに隣接する支柱間に着脱自在に装着してなる請求項５記載のサーバールーム内に設置される放熱ケージ。
【請求項７】
上部横連結材の下面に、長手方向を向く上部ガイドレールを設け、この上部ガイドレールにより、複数の引き違い式可動パネルの上端に設けた複数の垂直ローラを転動可能に吊支し、前記上部ガイドレールと対向する下部横連結杆を、上面に長手方向を向くガイド凹溝を有する下部ガイドレールとして、このガイド凹溝に、前記可動パネルの下端に設けた複数の水平ローラを、転動可能に嵌合してなる請求項５または６記載のサーバールーム内に設置される放熱ケージ。
【発明の詳細な説明】
【技術分野】
【０００１】
本発明は、例えばデータセンター等のサーバールーム内に設置され、サーバーに代表される情報処理機器を収納する複数の収納ラックを収容するための放熱ケージに関する。
【背景技術】
【０００２】
最近、データセンター等においては、サーバーを収納可能な複数の収納ラックを備えるサーバールームを貸し出したり、大きなサーバールーム内に、平面視方形をなす複数のケージを構築し、このケージを、その中に収容した複数のサーバー収納ラックと共に貸し出すサービスが行われている。
このようなサーバールームの中には、その内部の多数の収納ラックに収納したサーバーより排気される熱により、サーバールーム内の温度が上昇しないように、サーバールーム内を、空調設備により適温に冷却するようにしたものがある(例えば特許文献１参照)。
【先行技術文献】
【特許文献】
【０００３】
【特許文献１】特開２０１０−１０７１８８号公報
【発明の概要】
【発明が解決しようとする課題】
【０００４】
上記特許文献１の図４及び図６に記載されているように、サーバールームの中に多数の収納ラックを収容する際には、各収納ラックに収納したサーバーの前面及び背面へのアクセスやメンテナンス作業等を容易に行いうるように、互いに向かい合わせて設置された複数の収納ラックの対向面間と背面側とに、サーバーの利用者が通行可能で、かつメンテナンス作業に必要な幅の通路を設けておくのが一般的である。このような通路は、大型のサーバールーム内に複数構築して設置されるケージにも、同様に設けられるのが一般的である。
【０００５】
しかし、このように、収納ラックの対向面間の通路の外に、収納ラックの背面側にも、サーバーの利用者が通行可能な通路を設けると、この背面側の通路の幅分だけ、サーバールームやケージが大型化するため、それらを設置するための大きなスペースが必要となる。特に、ケージが大型化すると、サーバールーム内に設置可能なケージの数が制限されるという問題がある。
【０００６】
本発明は、上記問題点に鑑みてなされたもので、サーバー収納ラックの背面側の通路を不要とすることにより、ケージを小型化して省スペース化を図り、サーバールーム内に、より多くのケージを設置しうるようにした、サーバールーム内に設置される放熱ケージを提供することを目的としている。
【課題を解決するための手段】
【０００７】
本発明によると、上記課題は、次の各項のようにして解決される。
（１）サーバールーム内に設置され、内部に、サーバーを収納する複数の収納ラックを、通路を挟んで対向するように収容するようにした放熱ケージであって、
床面に立設した平面視方形をなすフレームにおける前記通路と向かい合って互いに対向する２側面の少なくともいずれか一方の面を、開閉可能なドアパネルと通気性のパネル群により、かつ他方の面を、通気性のパネル群により、それぞれ閉塞するとともに、前記フレームにおける前記複数の収納ラックの背面側の互いに対向する他方の２側面を、引き違い式の複数の可動パネルにより閉塞することにより、前記フレームの４側面を、ドアパネルと通気性のパネル群及び引き違い式の複数の可動パネルにより閉塞する。
【０００８】
このような構成とすると、フレームにおける複数のサーバーラックの背面側の互いに対向する２側面を、引き違い式の複数の可動パネルにより閉塞してあるので、構築された放熱ケージの対向する２側面を、可動パネルをスライドさせて開放することができる。従って、各収納ラックに収納したサーバーの背面へのアクセスやメンテナンス作業等を、放熱ケージの外側から行うことができるようになるので、各収納ラックの背面側に、サーバー使用者が通行可能な通路を設ける必要がなく、その分、放熱ケージが小型化して、放熱ケージを設置するサーバールームの省スペース化が図れ、その中により多くの放熱ケージを構築して設置することができる。
【０００９】
（２）上記(１)項において、複数の収納ラックの背面と複数の可動パネルとの対向面間に、サーバー使用者が通行不能、かつ空気が通過しうるだけの空間を設ける。
【００１０】
このような構成とすると、収納ラックの背面と複数の可動パネルとの対向面間の空間を最小限としうるので、各収納ラックに収納したサーバーの背面へのアクセスやメンテナンス作業等を、放熱ケージの外側から容易に行うことができる。
また、収納ラックの背面と複数の可動パネルとの対向面間の空間を空気が通過することにより、サーバーの背面から排気される空気が効果的に拡散されるので、サーバーの温度上昇を抑えることができる。
【００１１】
（３）上記(１)または(２)項において、パネル群を、方形枠内に金網を張設して形成された複数の金網パネルよりなるものとする。
【００１２】
このような構成とすると、放熱性の高い放熱ケージを提供しうるとともに、パネル群が軽量化するので、放熱ケージを容易に構築することができる。
【００１３】
（４）上記(１)〜(３)項のいずれかにおいて、可動パネルを、中央部に金網パネルを嵌め込むことにより、通気性を有するものとする。
【００１４】
このような構成とすると、前項と同様に、放熱性の高い放熱ケージを提供しうるとともに、可動パネルが軽量化するので、放熱ケージを容易に構築することができる。
【００１５】
（５）上記(１)〜(４)項のいずれかにおいて、フレームを、床面に立設された前後左右方向に並ぶ複数の支柱と、この支柱の上端同士を連結する上部横連結材と、同じく下端部同士を連結する下部横連結材とを備えるものとし、前記互いに隣接する支柱と、上下の横連結材とにより囲まれた複数の空間部に、通気性のパネル群を装着する。
【００１６】
このような構成とすると、フレームの構造が簡単であるので、その組立てや分解作業が容易となるとともに、通気性のパネル群を小型化して、複数の空間部に容易に装着することができる。
【００１７】
（６）上記(５)項において、互いに隣接する支柱を、対向面の一方の縁部に上下方向を向く保持片を内向き突設した支柱本体と、この支柱本体における前記保持片と反対側の側面に着脱可能にねじ止め可能な上下方向のパネル保持板とからなるものとし、前記両支柱の対向面間に、通気性のパネル群を、その両側端部が前記保持片と当接するまで嵌合し、この状態で、前記支柱本体の側面にパネル保持板をねじ止めし、パネル群の両側端部を保持することにより、前記通気性のパネル群を、互いに隣接する支柱間に着脱自在に装着する。
【００１８】
このような構成とすると、支柱を立設したままの状態で、互いに隣接する支柱間に、通気性のパネル群を、放熱ケージの外側または内側より簡単に着脱しうるので、放熱ケージの組立てや分解作業が容易となる。
【００１９】
（７）上記(５)または(６)項において、上部横連結材の下面に、長手方向を向く上部ガイドレールを設け、この上部ガイドレールにより、複数の引き違い式可動パネルの上端に設けた複数の垂直ローラを転動可能に吊支し、前記上部ガイドレールと対向する下部横連結杆を、上面に長手方向を向くガイド凹溝を有する下部ガイドレールとして、このガイド凹溝に、前記可動パネルの下端に設けた複数の水平ローラを、転動可能に嵌合する。
【００２０】
このような構成とすると、引き違い式の複数の可動パネルを、上下のガイドレールにより案内して、円滑に、かつ安定よく開閉することができる。
【発明の効果】
【００２１】
本発明によれば、可動パネルをスライドさせて放熱ケージの側面を開放することができるので、各収納ラックに収納したサーバーの背面へのアクセスやメンテナンス作業等を、放熱ケージの外側から行うことができる。その結果、各収納ラックの背面側に、サーバー使用者が通行可能な通路を設ける必要はなく、その分、放熱ケージを小型化して、放熱ケージが設置されるサーバールームの省スペース化を図り、その中に、より多くの放熱ケージを構築して設置することができる。
【図面の簡単な説明】
【００２２】
【図１】本発明の放熱ケージの一実施形態を示す外観図である。
【図２】放熱ケージの概略平面図である。
【図３】放熱ケージの正面図である。
【図４】放熱ケージの後面図である。
【図５】放熱ケージの側面図である。
【図６】図３のＶＩ−ＶＩ線拡大横断平面図である。
【図７】図５のＶＩＩ−ＶＩＩ線拡大横断平面図である。
【図８】同じくＶＩＩＩ−ＶＩＩＩ線拡大縦断側面図である。
【発明を実施するための形態】
【００２３】
以下、本発明の実施形態を、図面に基づいて説明する。
図１は、データセンター等の図示しない大型のサーバールーム内に複数設置される本発明の放熱ケージの外観図で、放熱ケージ１は、前後方向(以下、図１の左手前を前として説明する)に長い平面視方形枠状をなすフレーム２と、その前後左右の４側面を閉塞するパネル群３とを備えている。
【００２４】
図２の概略平面図、図３の正面図、図４の後面図、及び図５の側面図にも示すように、フレーム２は、サーバールームの床面と天井間に立設された前後左右方向に並ぶ複数の支柱４と、各支柱４の上端同士を連結している４本の上部横連結材５と、前後の各支柱４の上部と中央部との対向面同士を連結している複数の中間横連結材６と、同じく前後の各支柱４の下端部の対向面同士を連結している複数の下部横連結材７と、左右の各支柱４の上部の対向面同士を連結している長寸の中間横連結材８、８とからなっている。フレーム２の各コーナー部と左右両側の中央には、それぞれ、左右２本ずつの支柱４、４が互いに近接して立設されている。
【００２５】
図３に示すように、フレーム２の前面のパネル群３は、方形枠内に金網を張設して形成された複数の金網パネル９と、中央に位置する左右２本の支柱４、４と上部の中間横連結材６とにより囲まれた門型の出入り口１０に設けられた、金網付きの通気性のドアパネル１１と、それより幅の小さな板状のドアパネル１２とからなっている。通気性のドアパネル１１は、その左側端を、左方の支柱４に、図示しないヒンジをもって連結することにより、前方に開くことができ、かつ施錠装置１３により施解錠しうるようになっている。
板状のドアパネル１２は、その右側端が右方の支柱４に、図示しないヒンジにより連結され、出入り口１０を大きく開放したいときには、床面と中間横連結材６とに回動不能に係止されている係止手段(図示略)を外して、前方に開くことができるようになっている。
【００２６】
上記各金網パネル９は、互いに左右に隣接する支柱４、４と、上部横連結材５と、互いに上下に隣接する中間横連結材６、６及び下部横連結材７とにより囲まれた複数の空間部に装着されている。すなわち、金網パネル９の上下の端部は、上部横連結材５と、互いに上下に隣接する中間横連結材６、６及び下部横連結材７とのそれぞれの対向面に形成された左右方向の嵌合溝(図示略)に、けんどん方式で嵌め外しできるように嵌合することにより保持されている。
また、各金網パネル９の左右両端部は、互いに隣接する左右の支柱４の対向面により、次のようにして保持されている。
図６の拡大横断平面図に示すように(全て共通につき、一部の左右２枚のパネルのみ図示する)、互いに隣接する左右の支柱４、４は、平面視方形断面の角管よりなる支柱本体１４の前面に、上下方向のパネル保持板１５を、複数のねじ１６により着脱可能に固定した分割構造とされている。
【００２７】
支柱本体１４の後側の両側縁部と、パネル保持板１５の両側端とには、保持片１７、１７が対角線方向に向かって突設され、互いに隣接する保持片１７、１７間には、外方と上下両方向に開口する上下方向の４個の保持溝１８が形成されている。なお、各保持溝１８の幅は互いに等しく、かつ保持溝１８の幅と金網パネル９の左右の縦フレーム９ａ、９ａの前後寸法とを、ほぼ等しくしてある。
【００２８】
金網パネル９の両側端部を左右の支柱４の対向面により保持するには、まず、図６の２点鎖線に示すように、パネル保持板１５を取り外した状態で、金網パネル９を、左右の支柱本体１４、１４の対向面間に挿入し、金網パネル９の上下両端部を、上下に隣接する横連結材５、６、８の対向面に、上述したけんどん方式により嵌合して保持する。
【００２９】
ついで、金網パネル９の縦フレーム９ａ、９ａの後面を、左右の支柱本体１４の対向する保持片１７に当接させつつ、左右のパネル保持板１５を、左右の支柱本体１４の前面に、ねじ１６により固定する。これにより、金網パネル９の左右の縦フレーム９ａ、９ａが、左右の支柱４の対向面の保持溝１８により安定よく保持されるため、金網パネル９が上下及び前後左右方向にがたつくのを防止することができる。
また、上述のように、支柱４を分割構造として、支柱本体１４よりパネル保持板１５を取り外し可能とすると、支柱４を立設した状態で、金網パネル９を前面側より簡単に着脱しうるので、放熱ケージ１の組立てや分解作業が容易となる。なお、金網パネル９を上下寸法の長い１枚のものとした際には、けんどん方式によらずに、その左右の縦フレーム９ａのみを、分割構造とした左右の支柱４により着脱可能に支持することができる。
支柱４を前後反対向きとして、各金網パネル９を、放熱ケージ１の室内側より着脱可能に取り付けるようにしてもよい。
金網パネル９を保持していない他の保持溝１８には、支柱４の見栄えをよくするためのカバー１９が着脱可能に嵌合されている。
【００３０】
図４に示すように、フレーム２の後面のパネル群３は、上記と同様の複数の金網パネル９よりなっている。なお、後面側の各金網パネル９における支柱４、上部横連結材５、中間横連結材６、６及び下部横連結材８への取付構造は、上記前面側の金網パネル９と同一構造であるので、その詳細な説明は省略する。
【００３１】
フレーム２の左右両側面のパネル群３は、図１及び図５に示すように(左右同一構造につき、右側面のパネル群のみ図示する)、前後(図５においては、左側が前)の中間横連結材８、８の下方において、前後３本の支柱４間に配設された４枚ずつの引き違い式の可動パネル２０と、中間横連結材８、８と上部横連結材５との間に取付けられた金網よりなる複数の金網パネル２１とからなっている。
各可動パネル２０は、中央部に形成した長方形の開口部２２に、金網パネル２３を嵌め込むことにより、通気性を有するものとしてある。
【００３２】
各金網パネル２１は、天井の梁材Ｒ(図８参照)に固定された上部横連結材５と、中間横連結材８、各支柱４の上端部、及び上部横連結材５と中間横連結材８の対向面に取付けられた前後複数の短寸の補助支柱２４により囲まれた複数の開口部２５に、けんどん方式により嵌め込まれている。
【００３３】
図７及び図８に示すように、前後の中間横連結材８の下面中央には、内方に開口する正面視内向きコ字状断面の前後方向を向く上部ガイドレール２６と、外方に開口する正面視外向きコ字状断面の前後方向を向く上部ガイドレール２７とが、背中合わせにねじ止めされている。両ガイドレール２６、２７の底片２６ａ、２７ａの先端には、ガイド突条２６ｂ、２７ｂが上向きに突設されている。
【００３４】
中間横連結材８の下方の床面Ｆ、すなわち、互いに近接して並ぶ左右の支柱４、４の下端部の対向面間には、前後方向を向く下部ガイドレール２８が、上部ガイドレール２６、２７と対向状に固定されている。この下部ガイドレール２８の上面には、上方に開口する左右２列のガイド凹溝２９、２９が、長手方向に沿って形成されている。なお、この下部ガイドレール２８は、前後の支柱４、４の下端部同士を連結する下部横連結材を兼ねている。
【００３５】
各可動パネル２０の上面に固着されたＬ字状断面のブラケット３０の上端部には、左右方向を向く軸回りに回転する複数(例えば前後２個)の溝付き垂直ローラ３１が取付けられている。
また、各可動パネル２０の下面中央に下向き突設された左右１対の支軸３２の下端部には、水平ローラ３３が回転自在に取り付けられている。
【００３６】
前後の支柱４間の４枚の可動パネル２０における溝付き垂直ローラ３１を、上部ガイドレール２６、２７のガイド突条２６ｂ、２７ｂにより左右交互に支持するとともに、下部の水平ローラ３３を、下部ガイドレール２８の左右のガイド凹溝２９、２９に交互に嵌合することにより、各可動パネル２０は、上部ガイドレール２６、２７により吊支され、この状態で引き違い式に前後両方向に移動させることができる。従って、放熱ケージ１の左右両側面を、複数の引き違い可動パネル２０をもって開閉することができる。
図７に示すように、内外の可動パネル２０の両側面が当接する左右の支柱４、４の対向面には、合成樹脂等よりなる緩衝材３４が止着されている。
【００３７】
各可動パネル２０は、外側に位置する可動パネル２０に取付けた施錠装置３５により、放熱ケージ１の外側から全て施解錠しうるようになっている。
中間横連結材８における左右両端部の下面には、前後方向を向く左右１対のカバー板３６、３６が取り付けられ、上部ガイドレール２６、２７や各可動パネル２０の上端に設けたブラケット３０、及び溝付き垂直ローラ３１等が目隠しされている。
【００３８】
上記のようにして構築された放熱ケージ１の内部には、図２に示すように、サーバーが収納される複数の収納ラック３７が、サーバー使用者が通行可能な、前後のパネル群３、３と向かい合う通路３８を挟んで互いに対向するように、かつ各収納ラック３７の背面が左右のパネル群３、すなわち複数の可動パネル２０と対向するようにして収容される。
【００３９】
以上説明したように、上記実施形態の放熱ケージによると、放熱ケージ１の左右両側面のパネル群３を、複数の引き違い式の可動パネル２０により構成し、放熱ケージ１の両側面を開閉しうるようにしてあるので、各収納ラック３７の背面と可動パネル２０との対向面間には、サーバー使用者が通行不能な最小限の空間、すなわち、図示しない空調装置よりの冷気が通過しうる通風路またはサーバーより排気される空気の通風路となる、例えば２０〜３０ｃｍ程度の幅の空間を設けるのみでよい。
これは、各収納ラック３７に収納したサーバーの背面へのアクセスやメンテナンス作業等を、放熱ケージ１の外側から各可動パネル２０をスライドさせて、放熱ケージ１の両側面を開くことにより、その外側から行いうるためである。
【００４０】
このように、互いに対向する各収納ラック３７の背面側に、サーバー使用者が通行可能な通路を設ける必要がなくなると、その分、放熱ケージ１の左右幅が小さくなって、それが小型化するので、放熱ケージ１を設置するサーバールームの省スペース化が図れ、その中により多くの放熱ケージ１を構築して設置することができる。
【００４１】
また、放熱ケージ１の両側面を開閉しうるので、例えばサーバールーム内に、複数の放熱ケージ１を、左右方向に隣接させて、かつ互いに隣接する放熱ケージ１間に、通路が形成されるようにして設置した際に、この通路を、左右に隣接する放熱ケージ内の収納ラックに収納したサーバーの背面の点検通路として、共用することができる。
【００４２】
なお、上記実施形態においては、放熱ケージ１の前後面のパネル群３を、上下複数の金網パネル９よりなるものとしたが、中間横連結材６を省略し、互いに隣接する支柱４、４間に、上下方向に長い１枚の金網パネルを装着したり、上部横連結材５と最上部の金網パネル９を省略して、ドアパネル１１と同じ高さの１枚の金網パネルを装着したりしてもよい。
【００４３】
また、放熱ケージ１の両側面のパネル群３については、中間横連結材８、補助支柱２４、及び上部の複数の金網パネル９を省略して、上下方向に長い引き違い式の可動パネル２０のみとしたり、上部横連結材５、補助支柱２４、及び上部の複数の金網パネル９を省略して、可動パネル２０のみとしたりしてもよい。この際には、上部横連結材５または中間横連結材８の下面に、上部ガイドレール２６、２７を設ければよい。
【００４４】
さらに、上記実施形態においては、全ての可動パネル２０を通気性を有するものとしたが、図２に示すように、例えば収納ラック３７と近接する放熱ケージ１内に、大きな支柱Ｓを立設したり、大型の什器等を設置したりした際には、例えば通路３８等より吹き出された冷気の流れが支柱Ｓや什器等により妨げられ、支柱Ｓ等と対向する可動パネル２０側に向かって流れないので、支柱Ｓ等と対向する可動パネル２０を、金網パネル２３のない安価な非通気性の可動パネル２０としてもよい。
【符号の説明】
【００４５】
１  放熱ケージ
２  フレーム
３  パネル群
４  支柱
５  上部横連結材
６  中間横連結材
７  下部横連結材
８  中間横連結材
９  金網パネル
９ａ縦フレーム
１０  出入り口
１１  ドアパネル
１２  ドアパネル
１３  施錠装置
１４  支柱本体
１５  パネル保持板
１６  ねじ
１７  保持片
１８  保持溝
１９  カバー
２０  可動パネル
２１  金網パネル
２２  開口部
２３  金網パネル
２４  補助支柱
２５  開口部
２６  上部ガイドレール
２６ａ底片
２６ｂガイド突条
２７  上部ガイドレール
２７ａ底片
２７ｂガイド突条
２８  下部ガイドレール(下部横連結材)
２９  ガイド凹溝
３０  ブラケット
３１  溝付き垂直ローラ
３２  支軸
３３  水平ローラ
３４  緩衝材
３５  施錠装置
３６  カバー板
３７  収納ラック
Ｆ  床面
Ｒ  梁材
【図１】
0005596493.tif 000002
【図２】
0005596493.tif 000003
【図３】
0005596493.tif 000004
【図４】
0005596493.tif 000005
【図５】
0005596493.tif 000006
【図６】
0005596493.tif 000007
【図７】
0005596493.tif 000008
【図８】
0005596493.tif 000009